(57)【特許請求の範囲】
【請求項１】
通信端末（１０１）を第１の通信ネットワークから第２の通信ネットワークへ移動させるための方法であって、
前記第１の通信ネットワークの第１のセッション管理機能が、前記通信端末に対する通信セッションを確立するステップと、
前記第１のセッション管理機能が、前記第２の通信ネットワークの第２のセッション管理機能（１０９）を決定するステップであって、前記第２のセッション管理機能は、前記第２の通信ネットワークにより前記通信セッションを実現するときに当該通信セッションを取り扱う機能である、当該決定するステップと、
前記第１のセッション管理機能が、前記第２の通信ネットワークのモビリティ管理機能（２０４）に、前記決定した第２のセッション管理機能について知らせるステップと、
前記モビリティ管理機能（２０４）が、前記第２の通信ネットワークに登録するため又は前記通信セッションを前記第１の通信ネットワークから前記第２の通信ネットワークへ移動させるための、前記通信端末による要求を受けて、前記決定した第２のセッション管理機能によって、前記通信端末に対する通信セッションを実現するステップと、
前記決定した第２のセッション管理機能の識別情報を、
前記第１の通信ネットワークのネットワークリポジトリ機能、又は、前記第２の通信ネットワークのネットワークリポジトリ機能、又は、これら両者が、記憶するステップと、
を含む、
当該方法。
【請求項２】
前記決定した第２のセッション管理機能が、前記通信セッションとの前記ネットワークリポジトリ機能の関連性について前記第２の通信ネットワークの前記ネットワークリポジトリ機能に知らせるステップと、
前記第２の通信ネットワークの前記ネットワークリポジトリ機能が、前記通信セッションのタイミング情報又は前記通信セッションについての通知メッセージのハッシュに基づいて、前記第１のセッション管理機能を、前記決定した第２のセッション管理機能に関係付けるステップと、
をさらに含む、請求項１に記載の方法。
【請求項３】
前記ネットワークリポジトリ機能は、前記第２の通信ネットワークの前記モビリティ管理機能に、前記決定した第２のセッション管理機能について知らせる、
請求項１又は２に記載の方法。
【請求項４】
前記第１のセッション管理機能又は前記第２のセッション管理機能が、４Ｇコアネットワークにおけるパケットデータゲートウェイ又は５Ｇコアネットワークにおけるセッション管理機能である、請求項１〜３の何れか一項に記載の方法。
【請求項５】
前記通信セッションが、パケットデータユニットセッションである、請求項１〜４のいずれか一項に記載の方法。
【請求項６】
前記通信端末が前記通信セッションを前記第２の通信ネットワークへ移動させることを要求する前に、前記第１のセッション管理機能が、前記第２の通信ネットワークの前記モビリティ管理機能に、前記決定した第２のセッション管理機能について知らせる、
請求項１〜５のいずれか一項に記載の方法。
【請求項７】
前記モビリティ管理機能が、前記第２の通信ネットワークに登録するための前記通信端末による前記要求を受信するステップ、
をさらに含む、請求項１〜６のいずれか一項に記載の方法。
【請求項８】
前記通信端末による要求が、前記第２の通信ネットワークによる前記通信セッションの実現に関する要求を含む、請求項１〜７のいずれか一項に記載の方法。
【請求項９】
前記モビリティ管理機能が、前記通信セッションの識別情報を受信し、前記通信セッションの前記識別情報を前記決定した第２のセッション管理機能に互いに関係付ける、請求項１〜８のいずれか一項に記載の方法。
【請求項１０】
前記通信端末による要求が、前記通信セッションの識別情報を含む、請求項１〜９のいずれか一項に記載の方法。
【請求項１１】
前記モビリティ管理機能は、前記第２のセッション管理機能との前記通信セッションのバインディングについての情報によって、前記決定した第２のセッション管理機能についての通知を受ける、請求項１〜１０のいずれか一項に記載の方法。
【請求項１２】
通信端末に対する通信セッションを実現するように構成され、第２の通信ネットワークの第２のセッション管理機能を決定するように構成された第１の通信ネットワークの第１のセッション管理機能であって、前記第２のセッション管理機能は、前記第２の通信ネットワークによって前記通信セッションを実現するときに当該通信セッションを取り扱う機能である、当該第１のセッション管理機能と、
前記第２の通信ネットワークのモビリティ管理機能と、
を備え、
前記第１のセッション管理機能は、前記モビリティ管理機能に、前記決定した第２のセッション管理機能について知らせるように構成され、
前記モビリティ管理機能は、前記第２の通信ネットワークに登録するため又は前記通信セッションを前記第１の通信ネットワークから前記第２の通信ネットワークへ移動させるための、前記通信端末による要求を受けて、前記決定した第２のセッション管理機能によって前記通信端末に対する通信セッションを実現するように構成され、
前記決定した第２のセッション管理機能の識別情報を、
前記第１の通信ネットワークのネットワークリポジトリ機能、又は、前記第２の通信ネットワークのネットワークリポジトリ機能、又は、これら両者が、記憶する、
通信ネットワーク装置。
【発明の詳細な説明】
【技術分野】
【０００１】
本開示は、通信端末を第１の通信ネットワークから第２の通信ネットワークへ移動させるための方法及び通信ネットワーク装置に関する。
【背景技術】
【０００２】
通信端末は、進化型パケットコア（ＥＰＣ）、すなわち、４Ｇ（第４世代）通信ネットワークのコアネットワークにおいてパケットデータネットワークゲートウェイへの１つ又は複数のパケットデータネットワーク接続を有することができる。５Ｇ（第５世代）通信ネットワークでは、多数のインスタンスが５ＧＣ（５Ｇコアネットワーク）において存在し得る５ＧＣのセッション管理機能は、パケットデータネットワークセッションの実現に責がある。移動端末が４Ｇ通信ネットワークから５Ｇ通信ネットワークへ移動するケースに関して、パケットデータネットワーク接続を対応するＳＭＦと関係付けることを可能にするメカニズムが、これゆえ望ましい。
【発明の概要】
【０００３】
ある実施形態によれば、通信端末を第１の通信ネットワークから第２の通信ネットワークへ移動させるための方法が提供され、上記方法は、上記第１の通信ネットワークの第１のセッション管理機能によって上記通信端末に対する通信セッションを確立するステップと、上記第２の通信ネットワークの第２のセッション管理機能を決定するステップであって、上記第２の管理機能が上記第２の通信ネットワークにより上記通信セッションを実現するときに上記通信セッションを取り扱うためである、決定するステップと、上記決定した第２のセッション管理機能についての上記第２の通信ネットワークのモビリティ管理機能を知らせるステップと、上記第２の通信ネットワークに登録するため又は上記通信セッションを上記第１の通信ネットワークから上記第２の通信ネットワークへ移動させるための上記通信端末による要求で上記決定した第２のセッション管理機能によって上記通信端末に対する上記通信セッションを実現するステップとを含み、上記第１の通信ネットワークの構成要素が上記第２のセッション管理機能を決定する。
【０００４】
図面では、類似の参照符号は、異なる図面の全体を通して同じ部品を一般に呼ぶ。図面は、必ずしも正確な縮尺である必要はなく、強調が発明の原理を図説する際に代わりに一般に行われる。下記の説明では、様々な態様が下記の図面を参照して説明される。
【図面の簡単な説明】
【０００５】
【図１】通信システムを示す図である。
【図２】異なるＰＧＷ（ＰＤＮゲートウェイ）への多数のＰＤＮ（パケットデータネットワーク）接続を有するＵＥを示す図である。
【図３】ある実施形態によるＰＤＮ接続確立を図示している流れ図である。
【図４】ある実施形態によるアイドルモードモビリティ手順を図示している流れ図である。
【図５】ある実施形態による接続モードモビリティ手順を図示している流れ図である。
【図６】ある実施形態によるアイドルモード及び接続モードモビリティ手順を図示している流れ図である。
【図７】ある実施形態にしたがって、通信端末を第１の通信ネットワークから第２の通信ネットワークへ移動させるための方法を図示している流れ図である。
【図８】ある実施形態による通信ネットワーク装置を示す図である。
【発明を実施するための形態】
【０００６】
下記の詳細な説明は、図説として、発明が実行され得るこの開示の具体的な詳細及び態様を示す添付の図面を参照する。他の態様が利用されることがあり、そして構造的、論理的、及び電気的変更が、発明の範囲から逸脱することなく行われることがある。この開示のいくつかの態様が、この開示の１つ又は複数の他の態様と組合せられて、新しい態様を形成することができるので、この開示の様々な態様は、必ずしも相互に排他的である必要がない。
【０００７】
図１は、通信システム１００を示している。
【０００８】
通信システム１００は、４Ｇ（第４世代）ＵＥ（ユーザ機器）１０１及び５Ｇ（第５世代）ＵＥ１０２を備え、５Ｇ  ＵＥ１０２は、４Ｇ  ＵＥ１０１として最初に動作し、移動又はハンドオーバの後で、５Ｇ  ＵＥ１０２として動作する同じ移動端末であってもよい、すなわち、ＵＥ１０１、１０２は、４Ｇ移動通信ネットワークに最初に接続され、次いで５Ｇ移動通信ネットワークに接続される同じＵＥであってもよい。
【０００９】
４Ｇ  ＵＥ１０１は、４Ｇ無線アクセスネットワーク１０３、すなわち、Ｅ−ＵＴＲＡＮ（進化型ＵＭＴＳ（ユニバーサル移動テレコミュニケーションシステム）地上波無線アクセスネットワーク）を介してＭＭＥ（モビリティ管理エンティティ）１０４及びＳＧＷ（サービングゲートウェイ）１０５に接続される。
【００１０】
５Ｇ  ＵＥ１０２は、５Ｇ無線アクセスネットワーク１０６並びにＡＭＦ（アクセス及びモビリティ管理機能）１０７に接続される。
【００１１】
通信システム１００は、４Ｇ及び５Ｇ機能を兼ね備えた構成要素を備える。これらは、ＵＰＦ（ユーザプレーン機能）＋ＰＧＷ−Ｕ（パケットデータネットワークゲートウェイユーザプレーン）１０８、ＳＭＦ（セッション管理機能）＋ＰＧＷ−Ｃ（ＰＧＷ制御プレーン）１０９、ＰＣＦ（ポリシ制御機能）＋ＰＣＲＦ（ポリシ及び課金ルール機能）１１０、並びにＨＳＳ（ホーム加入者サーバ）＋ＵＤＭ（一元データ管理）１１１を含む。
【００１２】
ＳＧＷ１０５は、ＳＭＦ＋ＰＧＷ−Ｃ１０９及びＵＰＦ＋ＰＧＷ−Ｕ１０８に接続される。ＭＭＥ１０４は、ＨＳＳ＋ＵＤＭ１１１に接続される。ＡＭＦ１０７は、ＰＣＦ＋ＰＣＲＦ１１０、ＨＳＳ＋ＵＤＭ１１１及びＳＭＦ＋ＰＧＷ−Ｃ１０９に接続される。５Ｇ  ＲＡＮ１０６は、ＵＰＦ＋ＰＧＷ−Ｕ１０８に接続される。
【００１３】
さらにその上、ＭＭＥ１０４及びＡＭＦ１０７は、Ｎ２６インターフェース１１２により接続されることがある。
【００１４】
ＭＭＥ１０４、ＳＧＷ１０５、ＵＰＦ＋ＰＧＷ−Ｕ１０８、ＳＭＦ＋ＰＧＷ−Ｃ１０９、ＰＣＦ＋ＰＣＲＦ１１０及びＨＳＳ＋ＵＤＭ１１１は、進化型パケットコア（ＥＰＣ）の一部、すなわち、４Ｇ移動通信ネットワークのコアネットワークの一部である。
【００１５】
ＡＭＦ１０７、ＵＰＦ＋ＰＧＷ−Ｕ１０８、ＳＭＦ＋ＰＧＷ−Ｃ１０９、ＰＣＦ＋ＰＣＲＦ１１０及びＨＳＳ＋ＵＤＭ１１１は、５ＧＣの一部、すなわち、５Ｇ移動通信ネットワークのコアネットワークの一部である。このように、４Ｇ及び５Ｇの機能を兼ね備える構成要素は、４Ｇコアネットワーク及び５Ｇコアネットワークの両者の一部である。
【００１６】
ＳＭＦ＋ＰＧＷ−Ｃ１０９は、セッション管理のための制御プレーンエンティティ（４Ｇ（ＥＰＣ）及び５Ｇコアネットワーク（５ＧＣ）に対して共通）であり、（ＳＧＷ１０５へのＳ５インターフェースによって）ＥＰＣに向けたＧＴＰ−Ｃ（ＧＰＲＳトンネリングプロトコル−制御プレーン）及び（ＡＭＦ１０７へのＮ１１インターフェースによって）５ＧＣに向けたＨＴＴＰ／ＲＥＳＴ（ハイパーテキスト転送プロトコル／表現状態転送）を終わらせる。
【００１７】
ＨＳＳ＋ＵＤＭ１１１は、加入データベース（ＥＰＣ及び５ＧＣに対して共通）である。ＨＳＳ＋ＵＤＭ１１１は、（ＭＭＥ１０４へのＳ６ａインターフェースを介して）ＥＰＣに向けたダイアメータ並びに（ＡＭＦ１０７へのＮ８インターフェース及びＳＭＦ１０９へのＮ１０インターフェースを介して）５ＧＣに向けたＨＴＴＰ／ＲＥＳＴを終わらせる。Ｎ２６インターフェースが配置されていない通信システムでは、モビリティソースネットワーク及びターゲットネットワークは、ＨＳＳ＋ＵＤＭを介してＵＥ加入プロファイルを共有することができる。
【００１８】
ＳＭＦ＋ＰＧＷ−Ｃ１０９は、複数のＳＭＦ（又はＳＭＦインターフェース）及びＰＧＷ（又はＰＧＷインスタンス若しくはＰＧＷリソース）を実装することができる。ＵＥ１０１は、ＥＰＣに１つ又は複数のＰＤＮ（パケットデータネットワーク）接続を有することができる。これらのＰＤＮ接続は、同じ又は異なるＰＧＷを用いることができる。ＵＥ１０１が５ＧＣへ移動するとき、ＡＭＦ１０７は、正しいＳＭＦを選択する必要がある。これが図２に図示されている。
【００１９】
図２は、異なるＰＧＷ（ＰＧＷ−Ｃ）２０３への多数のＰＤＮ接続（ＰＤＵセッション）２０２を有するＵＥ２０１を示している。図１におけるように、ＵＥ２０１は、ＭＭＥ２０４及びＳＧＷ２０５によるＰＧＷ接続を有する。
【００２０】
ＰＧＷ２０３はすべて、ＰＧＷ−Ｃ＋ＳＭＦ２０５（図１のＰＧＷ−Ｃ＋ＳＭＦ１０９に対応する）の一部である。矢印２０６によって表されたように、ＵＥ２０１がＥＰＣから５ＧＣへ移動するとき、ＡＭＦ２０７（ＡＭＦ１０７に対応する）は、例えば、ＳＭＦ２０８のアドレス、例えば、ＩＰアドレス及び／又は完全修飾ドメイン名（ＦＱＤＮ）によって複数のＳＭＦ２０８のうちの１つを識別する必要がある。これは、ＡＭＦ２０７が、各ＰＤＮ接続２０２について、ＰＤＮ接続２０２を実現しているＰＧＷ２０３に対応しているＳＭＦ２０８を選択する必要があることを意味する。
【００２１】
ＰＧＷ及びＳＭＦが共通アドレス（例えば、同じＩＰアドレス）を有する場合には、ＡＭＦ２０７は、これを容易に実現することができる。しかしながら、ＳＭＦのアドレスが以下の様々な理由のためにＰＧＷのアドレスとは異なることが望ましい。
・ネットワークスライシングでは、同じＰＧＷに関係するＰＤＮ接続が、ＥＰＣから５ＧＣへのモビリティ手順の後で異なるスライス（すなわち、ＳＭＦ）へ移動されることがある。
・ＳＭＦ及びＰＧＷ−Ｃが独立にスケーリングすることが典型的には望ましい。
・ＳＭＦ及びＰＧＷ−Ｃが、別々の物理サーバに、又はＮＩＣ（ネットワークインターフェースコントローラ）の異なるセットを用いた異なるコンピュータユニットに実装されることがある。
・ＳＭＦ及びＰＧＷ−Ｃが、異なるプロトコル（ＧＴＰ−Ｃ対ＨＴＴＰ）を使用し、各プロトコルが、ＮＩＣの異なるセットを有することがある。
【００２２】
このように、同じＰＧＷ−Ｃによって実現されるＰＤＮ接続が異なるＳＭＰ  ＩＰアドレスにマッピングされてもよいこと及びその逆も典型的には望ましい。４Ｇから５Ｇへ移動しているＵＥのケースでは、ＰＧＷアドレスは、これゆえ多数のＳＭＦアドレスにマッピングできるはずである。
【００２３】
様々な実施形態によれば、ＳＭＦ２０８とＰＧＷ−Ｃ２０３との関連付けに関して、ＰＧＷ−Ｃ＋ＳＭＦ２０５（これはＥＰＣと５ＧＣとの間では共通のネットワーク要素である）が、ＰＤＮ接続確立においてＳＭＦ２０８インスタンスを割り当てる。割り当てられたＳＭＦインスタンス２０８についての情報は、ＨＳＳ＋ＵＤＭ１１１（又はＮＲＦ（ネットワークリポジトリ機能）などの別のリポジトリ）に記憶され、そしてＥＰＣから５ＧＣへのモビリティ手順の前に又はその間にＡＭＦ２０７へ提供される。
【００２４】
下記では、実施形態が、図３から図６を参照して説明され、図では説明は、Ｎ２６インターフェース１１２があるケースに関して及びＮ２６インターフェース１１２がないケースに関して、
・ＥＰＣにおけるＰＤＮ接続確立（ＡＭＦへＵＤＭ通知）
・ＥＰＣから５ＧＣへのアイドルモードモビリティ手順
・ＥＰＣから５ＧＣへの接続モードモビリティ
といった観点に分けられる。
【００２５】
図３は、ある実施形態による（Ｎ２６インターフェース１１２が存在する又は存在しない両者のケースに関して）ＰＤＮ接続確立を図示している流れ図３００を示している。
【００２６】
メッセージの流れは、ＭＭＥ３０１と、ＳＧＷ３０２と、ＰＧＷ−Ｃ３０４及び（例えば、ＰＧＷ−Ｃ＋ＳＭＦ３０３のうちの複数のＳＭＦの中で）関係するＳＭＦ３０５を備えているＰＧＷ−Ｃ＋ＳＭＦ３０３と、ＨＳＳ３０６及びＵＤＭ３０７を備えているＵＤＭ＋ＨＳＳと、ＡＭＦ３０８との間で行われる。
【００２７】
３０９では、ＭＭＥ３０１は、ＵＥから（ＡＰＮ（アクセスポイント名）に対応する）ＰＤＮ接続性要求を受信する、すなわち、ＵＥがＰＤＮ接続の作成をトリガする。
【００２８】
３１０では、ＭＭＥ３０１は、ＰＧＷ３０４を選択し、そしてＳＧＷ３０２は、ＰＤＮ接続のためのＰＧＷ３０４へのＧＴＰトンネルを作成する。これは、ＰＧＷ３０４のＩＰアドレスを決定することを含む。ＰＧＷ３０４は、ＴＥＩＤ（トンネルエンドポイント識別子）を割り当てる。
【００２９】
３１１では、ＭＭＥ３０１は、選択したＰＧＷ−Ｃアドレス（ＦＱＤＮ及び／又はＩＰアドレス）並びにＡＰＮについてＨＳＳ３０６に通知する。
【００３０】
３１２では、ＰＧＷ−Ｃ３０４は、このＰＤＮ接続（ＰＤＵセッション）のためのＳＭＦ３０５を割り当て、そしてＳＭＦ３０５にハッシュを指示する。
【００３１】
３１３では、ＳＭＦ３０５は、ハッシュをプラスした｛ＳＭＦ  ＩＤ、ＤＮＮ（ドメインネットワーク名）、ＰＤＵセッションＩＤ｝バインディングを用いてＵＤＭ３０７に通知する。
【００３２】
ＵＤＭへＳＭＦにより指示されたハッシュは、例えば、｛ＤＮＮ、ＰＧＷ−Ｃアドレス｝の組から導き出される。ＵＤＭ３０７は、３１４ではＨＳＳ３０６から受信したメッセージから同じハッシュを導き出すことができる。
【００３３】
３１４では、ＨＳＳ３０６は、３１１において受信している｛ＡＰＮ、ＰＧＷ−Ｃアドレス｝バインディングについてＵＤＭ３０７に通知する。ＵＤＭ３０７は、ＡＰＮ／ＤＮＮ並びにタイミング及び／又はハッシュに基づいてＰＧＷ−Ｃ３０４をＳＭＦ３０５と互いに関係付ける。
【００３４】
３１５では、ＵＥが５ＧＣに登録されると、ＵＤＭ３０７は、ＳＭＦ  ＩＤ、ＰＤＵセッションＩＤ及びＤＮＮを含んでいるＵＥコンテキストを用いてＡＭＦを更新する。
【００３５】
図４は、ある実施形態による（Ｎ２６インターフェース１１２があるケースに関する）アイドルモードモビリティ手順を図示している流れ図４００を示している。
【００３６】
メッセージの流れは、ＭＭＥ４０１と、ＳＧＷ４０２と、ＰＧＷ−Ｃ４０４及び（例えば、ＰＧＷ−Ｃ＋ＳＭＦ４０３のうちの複数のＳＭＦの中で）関係するＳＭＦ４０５を備えているＰＧＷ−Ｃ＋ＳＭＦ４０３と、ＨＳＳ４０６及びＵＤＭ４０７を備えているＵＤＭ＋ＨＳＳと、ＡＭＦ４０８との間で行われる。
【００３７】
４０９では、ＡＭＦ４０８は、ＵＥが５ＧＣへ移動し、登録を実行するときに、ＵＥから登録要求を受信する。登録要求は、ＰＤＵセッションＩＤ（又はＵＥが１つよりも多くのＰＤＵセッションを有する場合には多数のＰＤＵセッションＩＤ）を含む。
【００３８】
４１０では、ＡＭＦ４０８は、ＭＭＥ４０１からＵＥ  ＥＰＳ（進化型パケットシステム）コンテキストを検索する。
【００３９】
ＰＧＷ−ＣのＦ−ＴＥＩＤ（完全修飾ＴＥＩＤ）は、ＰＧＷ−Ｃアドレス（ＦＱＤＮ又はＩＰアドレス）及びＰＧＷ−Ｃ３０４によって割り当てられたＴＥＩＤを含む。
【００４０】
４１１では、ＡＭＦ４０８は、（各ＰＤＵセッションに対して１つのバインディングを含んでいる）｛ＤＮＮ、ＳＭＦ  ＩＤ、ＰＤＵセッション｝バインディングのリストともにＵＤＭ４０７からＵＥコンテキストを取得する。ＡＭＦ４０８は、例えば、ＵＥの識別情報とともに、Ｎｕｄｍ＿ＵＥＣＭ＿Ｇｅｔメッセージを送ることによってこのリストを要求することができる。
【００４１】
４１２では、ＡＭＦ４０８は、４０９のＰＤＵセッションＩＤ（複数可）を４１１のバインディングのＰＤＵセッションＩＤ（複数可）と互いに関係付け、（ＳＭＦインスタンスＩＤを含め）対応するＳＭＦ３０５へＰＤＵセッション更新コンテキスト要求を送る。
【００４２】
図５は、ある実施形態による（Ｎ２６インターフェース１１２があるケースに関する）接続モードモビリティ手順を図示している流れ図５００を示している。
【００４３】
メッセージの流れは、ＭＭＥ５０１と、ＳＧＷ５０２と、ＰＧＷ−Ｃ５０４及び（例えば、ＰＧＷ−Ｃ＋ＳＭＦ５０３のうちの複数のＳＭＦの中で）関係するＳＭＦ５０５を備えているＰＧＷ−Ｃ＋ＳＭＦ５０３と、ＨＳＳ５０６及びＵＤＭ５０７を備えているＵＤＭ＋ＨＳＳと、ＡＭＦ５０８との間で行われる。
【００４４】
５０９では、ネットワークは、ＥＰＣから５ＧＣへのハンドオーバをトリガする。ＭＭＥ５０１は、ＡＭＦ５０８へフォワードリロケーション要求を送る。要求は、ＰＧＷ−Ｃアドレス（Ｆ−ＴＥＩＤ）との１つ又は複数のＰＤＮ接続の指示を包含する。
【００４５】
５１０では、ＡＭＦ５０８は、ＵＤＭ５０７からＵＥ  ＣＭ（通信管理）コンテキストを取得する。ＵＥ  ＣＭコンテキストは、各ＰＤＵセッションについての｛ＤＮＮ、ＳＭＦ  ＩＤ、ＰＤＵセッションＩＤ｝バインディングを包含する。ＡＭＦ５０８は、Ｎｕｄｍ＿ＵＥＣＭ＿Ｇｅｔ手順によってこれを行うことができる。
【００４６】
５１１では、ＡＭＦ５０８は、正しいＳＭＦ５０５のＳＭ（セッション管理）コンテキストを更新する。
【００４７】
ハンドオーバが完了した後で、５１２において、ＵＥは、５ＧＣでの登録を実行する。
【００４８】
図５の流れでは、ＡＭＦ５０８は、ハンドオーバ中にＵＤＭ５０７とコンタクトをとる必要があることに留意すべきである。
【００４９】
図６は、ある実施形態による（Ｎ２６インターフェース１１２がないケースに関する）アイドル及び接続モードモビリティ手順を図示している流れ図６００を示している。
【００５０】
メッセージの流れは、ＭＭＥ６０１と、ＳＧＷ６０２と、ＰＧＷ−Ｃ６０４及び（例えば、ＰＧＷ−Ｃ＋ＳＭＦ６０３のうちの複数のＳＭＦの中で）関係するＳＭＦ６０５を備えているＰＧＷ−Ｃ＋ＳＭＦ６０３と、ＨＳＳ６０６及びＵＤＭ６０７を備えているＵＤＭ＋ＨＳＳと、ＡＭＦ６０８との間で行われる。
【００５１】
６０９では、手順は、ＵＥがデュアル登録モード又はシングル登録モードであるかどうかに依存する。
【００５２】
デュアル登録モード：ＵＥが５ＧＣに登録される場合には、ＰＤＮ接続がＥＰＣに作成されるたび毎に、ＡＭＦ６０８は、（図３を参照して説明したように）｛ＤＮＮ、ＳＭＦ  ＩＤ、ＰＤＵセッションＩＤ｝バインディングの対応する更新を通知される。ＡＭＦ６０８は、このバインディングを記憶する。
【００５３】
シングル登録モード：ＵＥが５ＧＣに登録されずに、５ＧＣとの登録を実行する場合には、ＡＭＦ６０８は、（図３を参照して説明したように）｛ＤＮＮ、ＳＭＦ  ＩＤ、ＰＤＵセッションＩＤ｝バインディングを検索する。ＡＭＦ６０８は、このバインディングを記憶する。
【００５４】
６１０では、ＡＭＦ６０８は、ＵＥがＰＤＮ接続をＥＰＣから５ＧＣへ移動させているために（ＰＤＵセッションＩＤを指示している）ＰＤＵセッション設定を受信する。
【００５５】
６１１では、ＡＭＦ６０８は、ＰＤＵセッションＩＤに基づいて正しいＳＭＦ６０５を見つける。ＡＭＦ６０８は、対応するＳＭＦ６０５へＰＤＵセッションコンテキスト要求を送る。
【００５６】
反対方向、すなわち、ＥＰＣから５ＧＣへ、に関して、モビリティ手順が、例えば、下記のように実行されることがある。
・ＡＭＦ１０７は、ＳＭコンテキスト要求を介してＮ１１インターフェース（ＡＭＦ１０７とＳＭＦ１０９との間のインターフェース）によって各ＳＭＦインスタンスからＥＰＳ  ＵＥコンテキストを取得する。
・ＳＭＦ１０９は、ＡＭＦ１０７及びＭＭＥ１０４へＦ−ＴＥＩＤを返す。ＳＭＦ１０９は、Ｆ−ＴＥＩＤの中へと適正なＰＧＷ−Ｃアドレスを含ませる。
・ＳＭコンテキスト要求は、ＳＭＦ１０９がＰＧＷ−Ｃアドレス（複数可）及びＴＥＩＤとともにＥＰＳ  ＵＥコンテキストを返すことを知ることのインディケータを含む。
・ＭＭＥ１０４は、ＳＭＦ１０９（又はＡＭＦ１０７）からＦ−ＴＥＩＤにおいて受信したようなＰＧＷ  ＩＰアドレスとともに作成セッション要求を送る。
【００５７】
まとめると、様々な実施形態によれば、方法は、図７に図示したように提供される。
【００５８】
図７は、ある実施形態にしたがって、通信端末を第１の通信ネットワークから第２の通信ネットワークへ移動させるための方法を図示している流れ図７００を示している。
【００５９】
７０１では、通信セッションが、第１の通信ネットワークの第１のセッション管理機能（例えば、パケットデータネットワークゲートウェイ）によって通信端末に対して確立される。
【００６０】
７０２では、第２の通信ネットワークの第２のセッション管理機能は、第２の通信ネットワークによって通信セッションを実現することが決定されると、どちらが通信セッションを取り扱うべきであるかを決定する。
【００６１】
７０３では、第２の通信ネットワークのモビリティ管理機能（例えば、アクセス及びモビリティ管理機能）は、決定した第２のセッション管理機能について知らされる。
【００６２】
７０４では、第２の通信ネットワークに登録するため又は通信セッションを第２の通信ネットワークへ移動させるために通信端末による要求で決定した第２のセッション管理機能によって、通信セッションが通信端末に対して実現される。
【００６３】
様々な実施形態によれば、言い換えると、第２の通信ネットワークのセッション管理機能は、第１の通信ネットワークを介して通信セッションが確立されている第１の通信ネットワークから第２の通信ネットワークへ通信セッションが移動するときに責がある通信セッションに対して割り当てられる。割り当てられたセッション管理機能についての情報は、第２の通信ネットワークに与えられ、その結果、第２の通信ネットワークに通信端末（例えば、ＵＥ）を登録するため又は通信セッションを第２の通信ネットワークへ移動させるための要求があるときには、第２の通信ネットワークのモビリティ管理機能は、どのセッション管理機能が通信端末に対する通信セッションを取り扱うべきであるかを直ちに知る。
【００６４】
モビリティ管理機能は、例えば、モビリティ管理機能とＵＤＭ又はＮＲＦなどのリポジトリとの間のインターフェースを介して決定したセッション管理機能について知らされることがある。
【００６５】
通信端末を第１の通信ネットワークから第２の通信ネットワークへ移動させることは、第１の通信ネットワークにより通信端末を取り扱うことから第２の通信ネットワークにより通信端末を取り扱うことへと切り替えることとして理解されてもよい。これは、モビリティに関するハンドオーバ若しくは再選択若しくは登録又は第２の通信ネットワークにおける既存の通信セッションの再確立などのアイドルモード又は接続モードにおけるモビリティ手順としてやはり見ることができる。この「移動させること」は、通信端末が実際に物理的に移動することを必ずしも意味する必要はない。
【００６６】
図７にしたがったメカニズムは、ＰＤＮ接続確立において選択したＰＧＷインスタンス及びＰＤＵセッションを５Ｇネットワークへ移動させた後で使用されるＳＭＦインスタンスによって使用される共通識別子を必要とせずに、再選択及びハンドオーバのようなアイドルモード又は接続モードにおけるモビリティ手順など４Ｇ及び５Ｇが相互に作用することを可能にする。これは、特にＰＧＷインスタンス及びＳＭＦインスタンスの独立したスケーリングを可能にする。
【００６７】
図７の方法は、例えば、図８に図示したような通信ネットワーク装置によって実行される。
【００６８】
図８は、ある実施形態による通信ネットワーク装置８００を示している。
【００６９】
通信ネットワーク装置８００は、通信端末に対する通信セッションを実現するように構成された第１の通信ネットワークの第１のセッション管理機能（例えば、パケットデータネットワークゲートウェイ）８０１、及び第２の通信ネットワークの第２のセッション管理機能を決定するように構成されたコントローラ８０２を備え、ここでは第２の管理機能は、第２の通信ネットワークによって通信セッションを実現するときに通信セッションを取り扱うためである。
【００７０】
さらに、通信ネットワーク装置は、第２の通信ネットワークのモビリティ管理機能（例えば、アクセス及びモビリティ管理機能）８０３並びに決定した第２のセッション管理機能についての第２の通信ネットワークのモビリティ管理機能を知らせるように構成された通信インターフェース８０４を備える。
【００７１】
モビリティ管理機能８０３は、第２の通信ネットワークに登録するため又は通信セッションを第２の通信ネットワークへ移動させるための通信端末による要求で決定したセッション管理機能によって通信端末に対する通信セッションを実現するように構成される。
【００７２】
様々な実施例が下記に説明される。
【００７３】
実施例１は、図７に図説したような、通信端末を第１の通信ネットワークから第２の通信ネットワークへ移動させるための方法である。
【００７４】
実施例２は、実施例１に記載の方法であり、上記第１の通信ネットワークの構成要素が、第２のセッション管理機能を決定する。
【００７５】
実施例３は、実施例１又は２に記載の方法であり、第１のセッション管理機能が、上記第２のセッション管理機能を決定する。
【００７６】
実施例４は、実施例１〜３のいずれか一例に記載の方法であり、上記第１のセッション管理機能又は上記第２のセッション管理機能が、４Ｇコアネットワークにおけるパケットデータゲートウェイ又は５Ｇコアネットワークにおけるセッション管理機能である。
【００７７】
実施例５は、実施例１〜４のいずれか一例に記載の方法であり、通信セッションが、パケットデータユニットセッションである。
【００７８】
実施例６は、実施例１〜５のいずれか一例に記載の方法であり、上記決定した第２のセッション管理機能の識別情報を上記第１の通信ネットワークのネットワークリポジトリ機能又は上記第２の通信ネットワークのネットワークリポジトリ機能又は両者に記憶するステップをさらに含む。
【００７９】
実施例７は、実施例６に記載の方法であり、上記決定した第２のセッション管理機能が上記通信セッションとの上記ネットワークリポジトリ機能の関連について上記第２の通信ネットワークの上記ネットワークリポジトリ機能に知らせること、及び上記第２の通信ネットワークの上記ネットワークリポジトリ機能が上記通信セッションのタイミング情報又は上記通信セッションについての通知メッセージのハッシュに基づいて上記第１のセッション管理機能を上記決定した第２のセッション管理機能と関係付けることをさらに含む。
【００８０】
実施例８は、実施例６又は７に記載の方法であり、上記ネットワークリポジトリ機能が、上記決定した第２のセッション管理機能についての上記第２の通信ネットワークの上記モビリティ管理機能を知らせることを含む。
【００８１】
実施例９は、実施例１〜８のいずれか一例に記載の方法であり、上記通信端末が上記通信セッションを上記第２の通信ネットワークへ移動させることを要求する前に上記決定した第２のセッション管理機能についての上記第２の通信ネットワークの上記モビリティ管理機能を知らせるステップを含む。
【００８２】
実施例１０は、実施例１〜９のいずれか一例に記載の方法であり、上記モビリティ管理機能が、上記第２の通信ネットワークに登録するための上記通信端末による上記要求を受信するステップをさらに含む。
【００８３】
実施例１１は、実施例１〜１０のいずれか一例に記載の方法であり、上記通信端末による上記要求が、上記第２の通信ネットワークによる上記通信セッションの上記実現に関する要求を含む。
【００８４】
実施例１２は、実施例１〜１１のいずれか一例に記載の方法であり、上記モビリティ管理機能が、上記通信セッションの識別情報を受信し、上記通信セッションの上記識別情報を上記決定した第２のセッション管理機能と互いに関係付ける。
【００８５】
実施例１３は、実施例１〜１２のいずれか一例に記載の方法であり、上記通信端末による上記要求が、上記通信セッションの識別情報を含む。
【００８６】
実施例１４は、実施例１〜１３のいずれか一例に記載の方法であり、上記モビリティ管理機能が、上記第２のセッション管理機能との上記通信セッションのバインディングについての情報によって上記決定した第２のセッション管理機能について知らせられる。
【００８７】
実施例１５は、図８に図示したような通信ネットワーク装置である。
【００８８】
実施例１６は、実施例１５に記載の通信ネットワーク装置であり、コントローラが、第１の通信ネットワークの構成要素である。
【００８９】
実施例１７は、実施例１５又は１６に記載の通信ネットワーク装置であり、第１のセッション管理機能が、上記コントローラを実装する。
【００９０】
実施例１８は、実施例１５〜１７のいずれか一例に記載の通信ネットワーク装置であり、上記第１のセッション管理機能又は第２のセッション管理機能が、４Ｇコアネットワークにおけるパケットデータゲートウェイ又は５Ｇコアネットワークにおけるセッション管理機能である。
【００９１】
実施例１９は、実施例１５〜１８のいずれか一例に記載の通信ネットワーク装置であり、通信セッションが、パケットデータユニットセッションである。
【００９２】
実施例２０は、実施例１５〜１９のいずれか一例に記載の通信ネットワーク装置であり、上記決定した第２のセッション管理機能の識別情報を記憶するように構成されたネットワークリポジトリ機能をさらに備え、上記ネットワークリポジトリ機能が、上記第１の通信ネットワークのネットワークリポジトリ機能又は第２の通信ネットワークのネットワークリポジトリ機能又は両者である。
【００９３】
実施例２１は、実施例２０に記載の通信ネットワーク装置であり、上記決定した第２のセッション管理機能が上記通信セッションとの上記ネットワークリポジトリ機能の関連について上記ネットワークリポジトリ機能に知らせるように構成されること、及び上記ネットワークリポジトリ機能が上記通信セッションのタイミング情報又は上記通信セッションについての通知メッセージのハッシュに基づいて上記第１のセッション管理機能を上記決定した第２のセッション管理機能と関係付けることをさらに含む。
【００９４】
実施例２２は、実施例２０又は２１に記載の通信ネットワーク装置であり、上記ネットワークリポジトリ機能が、上記決定した第２のセッション管理機能についての上記第２の通信ネットワークの上記モビリティ管理機能を知らせるように構成される。
【００９５】
実施例２３は、実施例１５〜２２のいずれか一例に記載の通信ネットワーク装置であり、通信インターフェースは、上記通信端末が上記通信セッションを上記第２の通信ネットワークへ移動させることを要求する前に上記決定した第２のセッション管理機能についての上記第２の通信ネットワークの上記モビリティ管理機能を知らせるように構成される。
【００９６】
実施例２４は、実施例１５〜２３のいずれか一例に記載の通信ネットワーク装置であり、上記モビリティ管理機能が、上記第２の通信ネットワークに登録するための上記通信端末による上記要求を受信するように構成される。
【００９７】
実施例２５は、実施例１５〜２４のいずれか一例に記載の通信ネットワーク装置であり、上記通信端末による上記要求が、上記第２の通信ネットワークによる上記通信セッションの上記実現に関する要求を含む。
【００９８】
実施例２６は、実施例１５〜２５のいずれか一例に記載の通信ネットワーク装置であり、上記モビリティ管理機能が、上記通信セッションの識別情報を受信し、上記通信セッションの上記識別情報を上記決定した第２のセッション管理機能と互いに関係付けるように構成される。
【００９９】
実施例２７は、実施例１５〜２６のいずれか一例に記載の通信ネットワーク装置であり、上記通信端末による上記要求が、上記通信セッションの識別情報を含む。
【０１００】
実施例２８は、実施例１５〜２７のいずれか一例に記載の通信ネットワーク装置であり、上記通信インターフェースが、上記第２のセッション管理機能との上記通信セッションのバインディングについての情報によって上記決定した第２のセッション管理機能についての上記モビリティ管理機能を知らせるように構成される。
【０１０１】
さらなる実施例によれば、４Ｇコアネットワークと５Ｇコアネットワークとの間のモビリティをサポートする通信システムの４Ｇコアネットワークにおける通信セッション確立手順中に５Ｇコアネットワークのセッション管理機能を割り当てるための方法が提供される。上記方法は、上記４Ｇコアネットワークのセッション管理機能が上記４Ｇコアネットワークから上記５Ｇコアネットワークへのモビリティ手順の後で上記通信セッションを取り扱う上記５Ｇコアネットワークの上記セッション管理機能を選択するステップと、上記５Ｇコアネットワークの上記セッション管理機能がセッション識別子及び上記５Ｇコアネットワークのセッション管理機能の識別子を上記移動通信ネットワークのユーザデータ管理リポジトリ機能に与えるステップとを含む。
【０１０２】
上記ユーザデータ管理リポジトリ機能は、モビリティ手順の前に又は手順中に上記５Ｇコアネットワークのモビリティ管理機能へ上記５Ｇコアネットワークの上記セッション管理機能の上記識別子を与えることができる。
【０１０３】
上記の実施例のいずれかの特徴のうちの１つ又は複数が他の実施例のいずれか一例と組合せられてもよいことに留意されたい。
【０１０４】
通信ネットワーク装置の構成要素（例えば、モビリティ管理機能、インターフェース、コントローラ及びＰＧＷ）が、例えば、１つ又は複数の回路によって実装されることがある。「回路」は、用途特定回路若しくはメモリに記憶したソフトウェアを実行するプロセッサ、ファームウェア、又はこれらの任意の組合せであってもよい任意の種類の論理実装エンティティとして理解されてもよい。このように、「回路」は、ハードワイヤード論理回路又はプログラマブルプロセッサ、例えば、マイクロプロセッサなどのプログラマブル論理回路であってもよい。回路はやはり、ソフトウェア、例えば、任意の種類のコンピュータプログラムを実行するプロセッサであってもよい。上に説明したそれぞれの機能の任意の他の種類の実装形態も、「回路」としてやはり理解されることがある。
【０１０５】
具体的な態様が説明されてきているとはいえ、形態及び詳細の様々な変更が別記の特許請求の範囲によって規定されるようなこの開示の態様の趣旨及び範囲から逸脱せずに行い得ることが当業者には理解されるはずである。範囲は、したがって別記の特許請求の範囲によって示され、特許請求の範囲の等価物の意味及び範囲内になるすべての変更が、これゆえ包含されるものである。
【図１】
0006741857.tif 000002
【図２】
0006741857.tif 000003
【図３】
0006741857.tif 000004
【図４】
0006741857.tif 000005
【図５】
0006741857.tif 000006
【図６】
0006741857.tif 000007
【図７】
0006741857.tif 000008
【図８】
0006741857.tif 000009